(57)【要約】【課題】撮像装置にハウジングに収容する基板に対して基板側コネクタの端子による押圧力が作用しない電気接続を実現する。【解決手段】ハーネス接続端子１１Ａ〜１１Ｄに、リアハウジング６の筒状周壁１２の内周面１２ｄから突出する板状接触片１１ａを設ける。コネクタ９の端子１０には、板状接触片１１ａを挟持して導通接触する挟持接点部１０ｅを設ける。挟持接点部１０ｅによる押圧力は、板状接触片１１ａの板厚方向に作用し、基板８の板厚方向では作用しない。これにより基板８の反りを回避することができる。【選択図】図３
2018092774.tif 000002
【特許請求の範囲】
【請求項１】
ハウジングと、
前記ハウジングに固定した端子と、を備え、
前記ハウジングは、
外部導体を嵌合接続する外部導体接続部と、
コネクタを実装した基板を内部に収容する筒状周壁と、
前記外部導体接続部と前記筒状周壁の内部とを仕切る隔壁とを有し、
前記端子は、
前記外部導体接続部に配置されており前記外部導体と導通接触する外部接触部を有する
撮像装置用の電子部品において、
前記端子は、
前記筒状周壁の内周面から突出しており前記コネクタのコネクタ端子と導通接触する内部接触部と、
前記外部接触部と前記内部接触部とを繋ぐように前記隔壁に埋設されて伸長する中継部とを有することを特徴とする電子部品。
【請求項２】
前記内部接触部は、前記隔壁側から前記基板の板厚を超えて突出する長さを有する請求項１記載の電子部品。
【請求項３】
前記中継部は、平型金属片でなる平型導通片として形成されている
請求項１又は２記載の電子部品。
【請求項４】
前記内部接触部は、板面が前記内周面から突出する板状接触片として形成されている
請求項１〜３何れか１項記載の電子部品。
【請求項５】
前記コネクタを備える請求項１〜４何れか１項記載の電子部品であって、
前記コネクタ端子が、前記内部接触部を板厚方向で挟持する挟持接点部を有する電子部品。
【請求項６】
請求項１〜５何れか１項記載の電子部品を備える撮像装置。
【発明の詳細な説明】
【技術分野】
【０００１】
本発明は電子部品に関し、特に車載用カメラ等の撮像装置用の電子部品とこれを備える撮像装置に関する。
【背景技術】
【０００２】
車両のドライブレコーダーや車両後方の視認性の向上のために用いられる車載用カメラや、銀行や商店等において防犯のために用いる監視カメラ等のように、撮像素子を内蔵する小型の撮像装置が利用されている。その従来の撮像装置の一例は、例えば特開２００８−１７０８０１号公報（特許文献１）に記載されている。
【０００３】
この撮像装置は、フロントハウジングとリアハウジングと有する箱状のハウジングを備えており、その内部には撮像素子を一方面に実装した基板が収容されている。基板の他方面には基板側コネクタが実装されている。リアハウジングには、基板側コネクタの端子と対向する位置に、ハーネス接続端子の接点部が配置されている。そして、フロントハウジングとリアハウジングとを組み合わせると、その接点部が基板側コネクタの端子に対して押圧接触することで導通接続することになる。ハーネス接続端子の他端側には、外部導体としてのハーネス（電線ケーブル）に導通接続する他の接点部が形成されており、撮像装置で生成された撮像信号はそのハーネスを通じて外部機器に伝送される。
【先行技術文献】
【特許文献】
【０００４】
【特許文献１】特開２００８−１７０８０１号公報、図１
【発明の概要】
【発明が解決しようとする課題】
【０００５】
ところで、こうした従来の撮像装置のようにハーネス接続端子の接点部を基板側コネクタの端子に対して押圧接触させる場合、ハーネス接続端子の接点部の押圧力を受ける基板側コネクタの端子のばね力（反力）が、基板側コネクタを実装している基板に対して継続的に作用して、基板が撓んでしまうおそれがある。基板が撓んでしまうと、撮像素子の焦点位置がずれたり、基板に実装した電子部品のはんだ付け部にクラックが生じたりするおそれがある。特に撮像装置は小型化と軽量化が進められており、基板の厚みが１ｍｍに満たないものも次第に利用されてきている。したがって基板は、薄厚化によって益々僅かな押圧力で撓みやすくなるため、できるだけ実装している基板側コネクタのばね力を受けないようにするのが好ましい。
【０００６】
以上のような従来技術を背景になされたのが本発明である。その目的は、撮像装置の基板に対して、当該基板に実装した基板側コネクタの端子のばね力が作用しない電気接続を実現することにある。
【課題を解決するための手段】
【０００７】
上記目的を達成すべく本発明は以下の特徴を有するものとして構成される。
【０００８】
本発明は、ハウジングと、前記ハウジングに固定した端子と、を備え、前記ハウジングは、外部導体を嵌合接続する外部導体接続部と、コネクタを実装した基板を内部に収容する筒状周壁と、前記外部導体接続部と前記筒状周壁の内部とを仕切る隔壁とを有し、前記端子は、前記外部導体接続部に配置されており前記外部導体と導通接触する外部接触部を有する撮像装置用の電子部品について、前記端子は、前記筒状周壁の内周面から突出しており前記コネクタのコネクタ端子と導通接触する内部接触部と、前記外部接触部と前記内部接触部とを繋ぐように前記隔壁に埋設されて伸長する中継部とを有することを特徴とする。
【０００９】
本発明によれば、端子（ハーネス接続端子）が筒状周壁の内周面から突出しており前記コネクタ（基板側コネクタ）のコネクタ端子と導通接触する内部接触部を有するため、端子が筒状周壁の軸方向でコネクタ端子と弾性接触する構造ではない。即ち、端子の内部接触部は筒状周壁の内周面から突出して配置されるため、コネクタ端子のばね力を基板に対してその板厚方向で作用させないようにすることができる。また本発明によれば、前記外部接触部と前記内部接触部とを繋ぐように前記隔壁に埋設されて伸長する中継部を有することから、外部接触部から筒状周壁の内周面に伸長する中継部を配置するためのスペースをできるだけ小さくすることができる。こうした中継部は、隔壁の内部に完全に埋設してもよいし、部分的に埋設する構成としてもよい。中継部は、そのいずれの構成としても筒状周壁の内部空間の占有スペースを少なくすることができ、ハウジングの内部の省スペース化と小型化に貢献することができる。
【００１０】
前記内部接触部については、前記隔壁側から前記基板の板厚を超えて突出する長さとすることができる。これによれば、撮像素子の光軸合わせ（焦点位置の調整）をするために、内部接触部の長さ方向に沿って基板の取付位置を調整する自由度を高めることができる。また、基板における隔壁との対向面にコネクタが実装されていると、コネクタの周辺に無駄なデッドスペースができてしまうことがある。しかしながら本発明によれば、内部接触部が基板の板厚を超えて前記対向面の反対側の面に突出するので、コネクタを反対側の面に実装することができる。したがって、基板をできるだけ隔壁に寄せて配置することもできることから、ハウジングの内部の省スペース化と小型化に貢献することができる。
【００１１】
前記中継部については、平型金属片でなる平型導通片として形成することができる。中継部が平型導通片であるため、中継部をピン端子や電線のような断面円形とする場合よりも隔壁を薄く形成することができ、したがってハウジングの小型化に寄与することができる。
【００１２】
前記内部接触部については、板面が前記内周面から突出する板状接触片として形成することができる。内部接触部を筒状周壁の内周面から突出する板面を有する板状接触片として形成することで、コネクタのコネクタ端子を板状接触片の板面に対して接触させるような端子構造とすることができる。これによりコネクタ端子のばね力を基板の板厚方向に作用させないようにすることができる。
【００１３】
また本発明は、前記コネクタを備える電子部品について、前記コネクタ端子が、前記内部接触部を板厚方向で挟持する挟持接点部を有することを特徴とする。この電子部品によれば、コネクタ端子が内部接触部を板厚方向で挟持する挟持接点部を有することで、コネクタ端子のばね力を基板の板厚方向に作用させないようにしながらも、端子の内部接触部とコネクタ端子とを確実に導通接触することができる。さらにこの電子部品については、前記内部接触部を前記板状接触片とすることができる。
【００１４】
さらに本発明は、以上の何れかの本発明による電子部品を備える撮像装置を提供する。これによれば撮像装置に内蔵する基板にその板厚方向でコネクタ端子のばね力が作用しない。よって撮像装置に内蔵する基板の薄型化と、ハウジングの内部空間の省スペース化と、撮像装置全体の小型化を実現することができる。
【発明の効果】
【００１５】
本発明によれば、撮像装置に内蔵する基板にその板厚方向でコネクタ端子のばね力が作用しないので、基板が反ったり、基板のはんだ付け部に割れが発生するといった不都合のない高品質の撮像装置を実現することができる。また撮像装置を全体的に小型化できるので、撮像装置の用途拡大に貢献することができる。
【図面の簡単な説明】
【００１６】
【図１】第１実施形態による撮像装置の分解図。
【図２】図１のリアハウジングを示す説明図。
【図３】図１のリアハウジングと基板の組立説明図。
【図４】図３のハーネス接続端子とコネクタとの接続を示す説明図。
【図５】図１のコネクタの外観斜視図。
【図６】図５のコネクタの正面図。
【図７】図６のＶＩＩ−ＶＩＩ線断面図。
【図８】図５のコネクタの端子の外観斜視図。
【図９】リアハウジングに基板を設置する前の状態を示す図２のＶＩＩＩ−ＶＩＩＩ線に沿う断面図。
【図１０】図９からリアハウジングに基板を設置した状態を示す断面図。
【発明を実施するための形態】
【００１７】
以下、本発明の一実施形態について図面を参照しつつ説明する。本明細書、特許請求の範囲、図面では、図１で示す基板に実装したコネクタの端子の配列方向をＸ方向（左右方向）とし、コネクタの奥行き方向をＹ方向（前後方向）とし、撮像装置に備える撮像素子の光軸方向（撮像装置の高さ方向）をＺ方向（上下方向）とする。しかしこうした左右、前後、上下の特定は本発明の撮像装置等の実装方向、使用方向を限定するものではない。
【００１８】
撮像装置１は、図１でその概要を示すように、硬質樹脂の樹脂成形体でなるハウジング２と、撮像部品３と、ハーネス部品４とを備えている。この撮像装置１を構成する部品は本発明の「電子部品」を構成する。
【００１９】
ハウジング２は、フロントハウジング５とリアハウジング６とを備えており、その内部空間には撮像部品３が収容される。この実施形態で例示する撮像部品３には、撮像素子３ａと、撮像素子３ａを実装した基板３ｂと、基板８と、基板８に実装したコネクタ９が含まれている。基板３ｂと基板８には図示しない信号処理系の回路配線と素子が実装されており、それらは基板間接続コネクタ３ｃ、８ａにより導通接続される。コネクタ９は「コネクタ端子」としての複数の端子１０を備えており、端子１０はリアハウジング６に固定された「端子」としてのハーネス接続端子１１Ａ、１１Ｂ、１１Ｃ、１１Ｄと導通接触する（図３参照）。「外部導体」としてのハーネス部品４は、図示しない外部機器に対して接続される。以上のような概略構成の撮像装置１の特徴は、リアハウジング６とハーネス接続端子１１Ａ〜１１Ｄと撮像部品３にある。そこでこれらについてさらに詳細に説明する。
【００２０】
リアハウジング６
リアハウジング６には、筒状周壁１２と、筒状周壁１２の一端側を閉塞する隔壁１３と、隔壁１３から突出する外部導体接続部１４とが形成されている。
【００２１】
筒状周壁１２は角筒状に形成されており、その内側には基板８とコネクタ９を収容する内部空間１２ａが形成されている。リアハウジング６の内部空間１２ａのＺ方向の高さ（筒状周壁１２の隔壁１３からの高さ）は基板８とコネクタ９を収容した状態でコネクタ９が筒状周壁１２の開口端１２ｂから突出しないように小型化されている。筒状周壁１２の外周面にはフロントハウジング５の嵌合部１２ｃが形成され、フロントハウジング５が嵌まり込んで撮像装置１が組み立てられる。筒状周壁１２の内周面１２ｄの一面には、ハーネス接続端子１１Ａ〜１１Ｄの一端側に設けた「内部接触部」としての複数の板状接触片１１ａが設けられている。
【００２２】
隔壁１３は、筒状周壁１２の一端側を閉塞するように設けられている。この隔壁１３には後述するようにハーネス接続端子１１Ａ〜１１Ｄの一部が埋設されている。外部導体接続部１４はリアハウジング６の外面を形成する隔壁１３の外面から突出して形成されている。外部導体接続部１４には嵌合凹部１４ａが形成され、嵌合凹部１４ａにはハーネス接続端子１１Ａ〜１１Ｄの「外部接触部」としての複数のピン状接触部１１ｂが突出している。そして嵌合凹部１４ａにハーネス部品４が差し込まれることで、ピン状接触部１１ｂとハーネス部品４が導通接続される。
【００２３】
ハーネス接続端子１１Ａ〜１１Ｄ
ハーネス接続端子１１Ａ〜１１Ｄは、それぞれ別々の端子として設けられている。各ハーネス接続端子１１Ａ〜１１Ｄのピン状接触部１１ｂは、円筒状の接触片として形成されており、図示しないハーネス部品４のソケット端子に挿入されて導通接続する。
【００２４】
ハーネス接続端子１１Ａ〜１１Ｄは、それぞれ隔壁１３の嵌合凹部１４ａにおけるピン状接触部１１ｂの突出位置と、筒状周壁１２の内周面１２ｄにおける板状接触片１１ａの突出位置とが異なっており、それらを繋ぐように中継部１１ｃが形成されている。図４で示すように、ハーネス接続端子１１Ａ、１１Ｂの中継部１１ｃはピン状接触部１１ｂが筒状周壁１２の側に位置しており、直線状に形成されている。ハーネス接続端子１１Ｃ、１１Ｄの中継部１１ｃは、ハーネス接続端子１１Ａ、１１Ｂを迂回して筒状周壁１２に向けて伸長するため、ハーネス接続端子１１Ａ、１１Ｂを迂回する斜め直線部１１ｃ１と、ハーネス接続端子１１Ａ、１１Ｂと平行な直線部１１ｃ２とを連結した屈曲形状として形成されている。また、中継部１１ｃは何れも板厚よりも板幅が長い平型金属片でなる平型導通片として形成されており、インサート成形により隔壁１３の表面に露出しないように完全に隔壁１３の内部に埋設されている。したがって、中継部１１ｃを丸棒状や角棒状のピン端子や円形断面の電線で形成する場合と比べて、隔壁１３の厚みを薄く形成することができ、リアハウジング６を小型化することができる。
【００２５】
中継部１１ｃの筒状周壁１２の側の端部には筒状周壁１２の高さ方向（長さ方向）に屈曲する屈曲部１１ｄが形成され（図４）、その先には前述の板状接触片１１ａが形成されている。ハーネス接続端子１１Ａ〜１１Ｄの各板状接触片１１ａは、その板面が筒状周壁１２の内周面１２ｄと交差するように筒状周壁１２の内部空間１２ａに向けて突出する。各板状接触片１１ａは四角形状に形成されており、屈曲部１１ｄと繋がる連結角部１１ａ１を有する。このような板状接触片１１ａは、例えば平型金属片を二枚重ねに折り曲げることで形成することができる。各板状接触片１１ａには、筒状周壁１２に埋め込まれる埋設縁１１ａ２を有しており（図９参照）、ここで強固に筒状周壁１２に対して保持される。各板状接触片１１ａは中継部１１ｃに対向する底辺縁１１ａ３が形成されており、この底辺縁１１ａ３は隔壁１３と接するように配置されている。このためコネクタ９と接続する際に底辺縁１１ａ３が端子１０から受ける挿入力を、底辺縁１１ａ３を隔壁１３に当接させることで受け止めることができ、埋設縁１１ａ２に対する挿入力の作用を分散できるようにしている。各板状接触片１１ａにおける筒状周壁１２の内部空間１２ａに面する２辺の板縁には、コネクタ９に挿入される挿入縁１１ａ４が形成されている。
【００２６】
コネクタ９
ハーネス接続端子１１Ａ〜１１Ｄに導通接続するコネクタ９は、「コネクタ端子」としての複数本の端子１０と、硬質樹脂製の固定ハウジング１５と、可動ハウジング１６とを備えており、可動ハウジング１６がＸ・Ｙ・Ｚ方向に変位可能なフローティングコネクタとして構成されている。
【００２７】
固定ハウジング１５には、上壁１５ａ、左右の側壁１５ｂが形成されており、それらによって囲まれた内部には可動ハウジング１６の収容部１５ｃが形成されている。上壁１５ａには端子１０を圧入する孔状の端子固定部１５ａ１が形成されている（図３参照）。側壁１５ｂには、基板８にはんだ付けされる固定金具１７が取付けられている。また、側壁１５ｂの内面には可動ハウジング１６の変位を規制する凹部１５ｂ１が形成されており、その内部には後述する可動ハウジング１６の変位規制部１６ｄが配置される。
【００２８】
可動ハウジング１６には、端子１０を圧入する図示しない孔状の端子固定部が形成されている。可動ハウジング１６には、櫛歯状の突出部１６ａが形成されている。基板８にはこの櫛歯状の突出部１６ａと基板８が重ならないように凹部８ｂが形成されている。隣接する突出部１６ａの間には、ハーネス接続端子１１Ａ〜１１Ｄの板状接触片１１ａを挿入するＺ方向に貫通する端子接続溝１６ｂが形成されている。端子接続溝１６ｂに隣接する各突出部１６ａの先端は、角部を面取りした誘込み部１６ｃによって端子接続溝１６ｂへの板状接触片１１ａの導入をガイドできるようにしている。
【００２９】
可動ハウジング１６の左右の側面には突起形状の変位規制部１６ｄが形成されている。変位規制部１６ｄは前述した固定ハウジングの凹部１５ｂ１に配置され、可動ハウジング１６は変位規制部１６ｄが凹部１５ｂ１に当接するまでＸ・Ｙ・Ｚ方向で変位することができる。
【００３０】
端子１０は、基板８にはんだ付けされる基板接続部１０ａと、固定ハウジング１５の端子固定部１５ａ１に圧入保持される固定ハウジング用固定部１０ｂと、Ｓ字状に屈曲する可動片１０ｃと、可動ハウジング１６の端子固定部（図示略）に圧入保持される可動ハウジング用固定部１０ｄと、板状接触片１１ａを挟持して導通接触する挟持接点部１０ｅとが形成されている。したがって、端子１０は可動片１０ｃの一方側にある固定ハウジング用固定部１０ｂにて固定ハウジング１５に固定され、可動片１０ｃの他方側にある可動ハウジング用固定部１０ｄにて可動ハウジング１６に固定されており、可動片１０ｃのＸ・Ｙ・Ｚ方向への変位によって可動ハウジング１６をＸ・Ｙ・Ｚ方向で変位可能に弾性支持している。
【００３１】
挟持接点部１０ｅはフォーク状ばねとして形成されており、そのばね弾性によって板状接触片１１ａに対して板厚方向で押圧接触している。挟持接点部１０ｅの先端にはロール面でなる一対の湾曲接点部１０ｆが形成されており、その間に板状接触片１１ａをスムーズに挿入できるようにしている。
【００３２】
ハーネス接続端子１１Ａ〜１１Ｄとコネクタ９との導通接続
ハーネス接続端子１１Ａ〜１１Ｄとコネクタ９との導通接続は、撮像装置１を組み立てる過程で行われる（図９、図１０）。リアハウジング６の内部空間１２ａにコネクタ９を実装した基板８を設置する。基板８は、コネクタ９を実装していない平坦面８ｃを隔壁１３と対向させた状態で、コネクタ９の基板８の凹部８ｂに露出する可動ハウジング１６の端子接続溝１６ｂの内側に板状接触片１１ａを挿入するようにして基板８をリアハウジング６の内部に組み込む。このとき端子接続溝１６ｂを板状接触片１１ａと位置合わせするために、基板８を隔壁１３と平行に挿入するほか、基板８を斜めにしてコネクタ９の側から挿入してもよい。このように基板８を斜めに挿入しても、突出部１６ａの誘込み部１６ｃによって容易に板状接触片１１ａに端子接続溝１６ｂを位置合わせすることができる。また、板状接触片１１ａと端子接続溝１６ｂとが位置ずれしていても、端子１０の可動片１０ｃによって可動ハウジング１６が変位するため、嵌合位置のずれを吸収することができる。さらに板状接触片１１ａを端子接続溝１６ｂに挿入すると、ロール面とした湾曲接点部１０ｆによってスムーズに挟持接点部１０ｅで板状接触片１１ａを保持することができる。このようにして基板８のコネクタ９はハーネス接続端子１１Ａ〜１１Ｄに対して簡単に導通接続させることができる。なお、基板８はねじ止め等の機械的手段や接着剤等の化学的手段によってリアハウジング６に固定することができる。
【００３３】
リアハウジング６に基板８を収容した後は、基板間接続コネクタ８ａと基板３ｂの基板間接続コネクタ３ｃとを接続し、さらにフロントハウジング５をリアハウジング６に固定することで、撮像装置１を得ることができる。
【００３４】
撮像装置１の作用・効果
次に既に説明済みのものを除き、撮像装置１とその構成部品による作用・効果を説明する。
【００３５】
撮像装置１は、ハーネス接続端子１１Ａ〜１１Ｄが筒状周壁１２の内周面１２ｄから突出しておりコネクタ９の端子１０と導通接触する「内部接触部」としての板状接触片１１ａを有する構造であり、ハーネス接続端子１１Ａ〜１１Ｄと端子１０とが基板８の板厚方向で押圧接触するような構造ではない。即ち、挟持接点部１０ｅは板状接触片１１ａを挟持するため、基板８には挟持接点部１０ｅのばね力（挟持力）は作用しない。したがって基板８が反ったり、基板８に実装した各種電子部品のはんだ付け部に割れが発生するといった不都合のない高品質の撮像装置１を実現することができる。
【００３６】
板状接触片１１ａは、筒状周壁１２の筒軸方向で基板８の板厚を超える長さに形成されている。したがって、その筒軸方向（Ｚ方向）における基板８の固定位置を調整して、撮像素子３ａの光軸合わせの自由度を高めることができる利点がある。
【００３７】
実施形態の変形例
前記実施形態については変形例での実施が可能であるため、その例を示す。
【００３８】
前記実施形態では、４つのハーネス接続端子１１Ａ〜１１Ｄを設ける例を示したが、３つ以下でも５つ以上としてもよい。
【００３９】
前記実施形態では、ハーネス接続端子１１Ａ〜１１Ｄの「外部接触部」として円筒状のピン状接触部１１ｂを設ける例を示したが、「外部接触部」の形状はハーネス部品４との関係で決めるものであり、他の形状としてもよい。
【００４０】
前記実施形態では、ハーネス接続端子１１Ａ〜１１Ｄの各板状接触片１１ａの底辺縁１１ａ３を隔壁１３と接するように設ける例を示したが、埋設縁１１ａ２のように隔壁１３に埋設してもよい。
【００４１】
前記実施形態では、ハーネス接続端子１１Ａ〜１１Ｄの中継部１１ｃを隔壁１３に完全に埋める例を示したが、リアハウジング６の内部空間１２ａに面する側を部分的に露出させて配置してもよい。
【００４２】
前記実施形態では、コネクタ９を実装していない平坦面８ｃを隔壁１３と対向させるように基板８をリアハウジング６に配置する例を示したが、コネクタ９の実装面を隔壁１３と対面させて配置してもよい。このようにしても板状接触片１１ａが筒状周壁１２の筒軸方向で基板８の板厚を超える長さに形成されているので、問題なく接続することができる。
【符号の説明】
【００４３】
１    撮像装置
２    ハウジング
３    撮像部品
３ａ  撮像素子
３ｂ  基板
３ｃ  基板間接続コネクタ
４    ハーネス部品（外部導体）
５    フロントハウジング
６    リアハウジング
８    基板
８ａ  基板間接続コネクタ
８ｂ  凹部
８ｃ  平坦面
９    コネクタ
１０    端子（コネクタ端子）
１０ａ  基板接続部
１０ｂ  固定ハウジング用固定部
１０ｃ  可動片
１０ｄ  可動ハウジング用固定部
１０ｅ  挟持接点部
１０ｆ  湾曲接点部
１１Ａ、１１Ｂ、１１Ｃ、１１Ｄ  ハーネス接続端子（端子）
１１ａ  板状接触片（内部接触部）
１１ａ１  連結角部
１１ａ２  埋設縁
１１ａ３  底辺縁
１１ａ４  挿入縁
１１ｂ  ピン状接触部（外部接触部）
１１ｃ  中継部
１１ｃ１  斜め直線部
１１ｃ２  直線部
１１ｄ  屈曲部
１２    筒状周壁
１２ａ  内部空間
１２ｂ  開口端
１２ｃ  嵌合部
１２ｄ  内周面
１３    隔壁
１４    外部導体接続部
１４ａ  嵌合凹部
１５    固定ハウジング
１５ａ  上壁
１５ａ１  端子固定部
１５ｂ  側壁
１５ｂ１  凹部
１５ｃ  収容部
１６    可動ハウジング
１６ａ  突出部
１６ｂ  端子接続溝
１６ｃ  誘込み部
１６ｄ  変位規制部
１７    固定金具
【図１】
2018092774.tif 000003
【図２】
2018092774.tif 000004
【図３】
2018092774.tif 000005
【図４】
2018092774.tif 000006
【図５】
2018092774.tif 000007
【図６】
2018092774.tif 000008
【図７】
2018092774.tif 000009
【図８】
2018092774.tif 000010
【図９】
2018092774.tif 000011
【図１０】
2018092774.tif 000012